(57)【要約】【課題】安定した量の薬剤を迅速にかつ持続的に揮散、拡散させることができる薬剤揮散装置を提供する。【解決手段】本発明にかかる薬剤揮散装置１０は、薬剤を収容する容器１と、容器１に設けられ、押圧されることで薬剤を容器１の外部に噴霧する噴霧部３と、駆動させることで噴霧部３を押圧可能に構成された押圧部材２とを備え、押圧部材２は薬剤を通過せしめることが可能な開口部２ａと噴霧部３から噴霧された薬剤を保持可能な揮散体４を備え、揮散体の少なくとも一部が噴霧された薬剤と接触するように設けられている。【選択図】  図２
2004160364.tif 000002
【特許請求の範囲】
【請求項１】
薬剤を収容する容器と、該容器に設けられ、押圧されることで前記薬剤を前記容器の外部に噴霧する噴霧部と、駆動させることで前記噴霧部を押圧可能に構成された押圧部材とを備え、前記押圧部材は前記薬剤を通過せしめることが可能な開口部と前記噴霧部から噴霧された前記薬剤を保持可能な揮散体を備え、該揮散体の少なくとも一部が噴霧された前記薬剤と接触するように設けられていることを特徴とする薬剤揮散装置。
【請求項２】
前記薬剤を噴霧するポンプ機構又はエアゾール機構を有していることを特徴とする請求項１に記載の薬剤揮散装置。
【請求項３】
前記噴霧部は、前記開口部近傍に前記薬剤を噴霧する第１の噴霧口と、前記揮散体近傍に前記薬剤を噴霧する第２の噴霧口とを備えていることを特徴とする請求項１又は２に記載の薬剤揮散装置。
【請求項４】
前記容器には、複数の弾性片を有し、該複数の弾性片によって挟持することで係止可能なクリップが設けられていることを特徴とする請求項１から３のいずれか１つに記載の薬剤揮散装置。
【発明の詳細な説明】
【０００１】
【発明の属する技術分野】
本発明は、薬剤をより迅速にかつ持続的に揮散、拡散させることができる薬剤揮散装置に関する。
【０００２】
【従来の技術】
従来、揮散装置に用いられる薬剤としては、主に、ゲル状のものや、液状のものや、固形物に芳香剤等を含浸させたものなどがある。
このような揮散装置は、例えば、室内の床や車両のダッシュボードに設置されるいわゆる据え置きタイプのものや、車両の窓ガラスや室内ミラーに吊り下げられるいわゆる吊り下げタイプのものや、エアコンの吹き出し口に取り付けるいわゆるエアコンタイプのものがある（例えば、実公昭６３−３０４３５号公報）。
【０００３】
【特許文献１】
実公昭６３−３０４３５号公報
【０００４】
【発明が解決しようとする課題】
ところで、据え置きタイプや吊り下げタイプの揮散装置は、薬剤を自然に揮散させるものであるため、瞬時に薬剤を雰囲気中に揮散させることができない。また、これらのタイプの揮散装置は、時間の経過とともに揮散される薬剤の量が少なくなる点で改善の余地があった。さらに、上記のエアコンタイプの揮散装置は、吹き出し口からの送風によって薬剤を揮散、拡散させているが、安定した量の揮散と、その持続性が十分とは言えず、更なる改善の余地があった。
【０００５】
この発明は、上記事情に鑑みてなされたもので、安定した量の薬剤を迅速にかつ持続的に揮散、拡散させることが可能な薬剤揮散装置を提供することを目的としている。
【０００６】
【課題を解決するための手段】
本発明の上記目的は、薬剤を収容する容器と、該容器に設けられ、押圧されることで前記薬剤を前記容器の外部に噴霧する噴霧部と、駆動させることで前記噴霧部を押圧可能に構成された押圧部材とを備え、前記押圧部材は前記薬剤を通過せしめることが可能な開口部と前記噴霧部から噴霧された前記薬剤を保持可能な揮散体を備え、該揮散体の少なくとも一部が噴霧された前記薬剤と接触するように設けられていることを特徴とする薬剤揮散装置によって達成される。
【０００７】
上記構成の薬剤揮散装置によれば、使用時において、薬剤が押圧部材の開口部を通過して外部に揮散すると共に、薬剤の一部が押圧部材の揮散体に含浸され、その後、含浸した薬剤が徐々に揮散する。このため、使用時において薬剤を迅速に揮散、拡散させることができ、また、薬剤を噴霧した後も揮散体から薬剤が揮散し続けることで持続して揮散、拡散させることができる。
【０００８】
容器に収容する薬剤としては、芳香剤、消臭剤、忌避剤、防虫剤、殺菌剤、防カビ剤、殺虫剤、昆虫成長調整剤等を含むものが挙げられ、必要に応じて溶剤や噴射剤と組み合わせて用いるものである。
揮散体は、その材質として、薬剤を保持でき且つ薬剤を揮散できるものであれば、いずれのものでも使用でき、具体的には、不織布、スポンジ、パルプ、樹脂等の有機材料や石綿、シリカ、ケイソウ土、ガラス繊維等の無機材料の多孔性材料を用いることができる。
【０００９】
芳香剤としては、例えば、ハッカ油、ペパーミント油、スペアミント油、イグサ、ヒノキ、シトロネラ、シトラール、シトロネラール、レモン、レモングラス、オレンジ、ユーカリ、ラベンダー等の精油成分及びそれらから得られる芳香成分等を用いることができる。
消臭剤としては、例えば、メタクリル酸ラウリル、メチル化サイクロデキストリン、植物抽出エキス（例えば、ツバキ、バラ、キク、マツ、スギ、オオバコ等から得られるエキス）、植物精油（例えば、茶抽出物、カテキン、植物ポリフェノール、リナロール、メントール、ボルネオール）、界面活性剤等を用いることができる。
溶剤としては、水、エタノール、変性アルコール等のアルコール、ケロシン等の脂肪族炭化水素、エチレングリコール、ブチルジグリコール等のグリコールまたはそのエーテル化合物を用いることができる。
【００１０】
また、本発明は、薬剤を噴霧するポンプ機構又はエアゾール機構を有していることが好ましい。
ここで、ポンプ機構とすれば、噴霧部を押圧するごとに常に一定の量だけ薬剤を噴霧させることができる。また、エアゾール機構とすれば、噴霧部を押圧することにより、容器内の薬剤を噴射剤や圧縮空気等のガス圧によって噴霧口からより一層広い範囲に噴霧して拡散させることができる。
【００１１】
上記の薬剤揮散装置において、噴霧部は、開口部近傍に薬剤を噴霧する第１の噴霧口と、揮散体近傍に薬剤を噴霧する第２の噴霧口とを備えているものとすることが好ましい。
この構成によれば、第１の噴霧口から噴霧された薬剤を、開口部を介して薬剤揮散装置の周囲雰囲気中に直接揮散させることができ、また、同時に、第２の噴霧口から噴霧された薬剤を揮散体に含浸することができる。すると、第１の噴霧口から噴霧された薬剤が周囲雰囲気中からなくなった後でも揮散体から薬剤が揮散しつづける。このため、薬剤揮散装置は、薬剤の有効成分の効果をより一層長く持続させることが可能である。
【００１２】
上記の薬剤揮散装置において、容器には、複数の弾性片を有し、これら複数の弾性片によって挟持することで係止可能なクリップが設けられていることが好ましい。
この構成によれば、薬剤を揮散させたい場所近傍にクリップを介して薬剤揮散装置を設置することができる。例えば、この薬剤揮散装置を室内や車両等で用いる場合、クリップによってエアコンの吹き出し口のルーバー、扇風機のカバーなどに取り付けることができる。
【００１３】
【発明の実施の形態】
以下、本発明にかかる薬剤揮散装置の第１の実施形態を図面を参照して説明する。
図１は、本実施形態の薬剤揮散装置の斜視図を示し、図２は、第１の実施形態の薬剤揮散装置の一部を断面視した側面図を示している。
図１に示すように、薬剤揮散装置１０は、薬剤として液状の芳香剤を収容する容器１と、この容器１の上部に装着される押圧部材であるキャップ２とを備えている。
【００１４】
容器１には、上端部に噴霧部３を備えている。この噴霧部３には、その周面に噴霧口３ａが形成されている。噴霧部３は、容器内部に配された図示しないバネなどの弾性手段又は容器内部の圧力によって上方に付勢されている。噴霧部３は、付勢力に抗して押し下げることで、容器内部の図示しないポンプ機構によって噴霧口３ａから容器１内に収容された芳香剤が噴霧される構造とされている。本実施形態においては、芳香剤が噴霧口３ａから図２の右側に向かって噴霧される。ポンプ機構とすれば、噴霧部３を押圧するごとに常に一定の量の薬剤を噴霧口３ａから噴霧させることができる。
【００１５】
キャップ２は、有底円筒状に形成されており、その周面には、軸方向に長い長孔からなる複数のスリット（開口部）２ａが周方向に等間隔をあけて形成されている。キャップ２は、噴霧部３を上方（図２の上側）から覆うことで取り付け可能に構成されている。キャップ２は、図２の上下方向に駆動させることが可能で、下方向に駆動されることによって噴霧部３を押し下げるように構成されている。スリットの形状及び数は限定されず、噴霧された芳香剤を通過させることが可能であれば任意の形状及び数とすることができる。
キャップ２の内周面には、スリット２ａの上方側略半分を覆うように、揮散体４が貼り付けられている。また、キャップ２の底部には、押圧材５が設けられている。押圧材５は、キャップ２を押し下げた状態で、噴霧部３の上面（図２において上側の面）に当接するように構成されている。
【００１６】
揮散体４は、少なくとも一部が噴霧口３ａから噴霧された芳香剤と接触するように設けられている。言い換えれば、揮散体４の配される位置は、噴霧された芳香剤と接触するよう調整されている。具体的に、本実施形態においては、図１に示すように、揮散体４はキャップ２の内周面に沿って設けられることで、スリット２ａと噴霧口３ａとの間の空間に部分的に入り込むように配されている。このため、噴霧口３ａから噴霧されてスリット２ａへ向かう拡散する芳香剤が揮散体４の一部に接触し、含浸される。
本実施形態のように、揮散体４をキャップ２の内周面に沿って設ける構成とすれば、キャップ内部の中央位置に設ける構成に比して、揮散体４に含浸された芳香剤がスリット２ａを通過して薬剤揮散装置の外部へ拡散されやすい。また、揮散体４の総表面積を大きく設計することができるため、芳香剤が接触し含浸されやすくなるだけでなく、各スリット２ａを介して広範囲に芳香剤を揮散、拡散させることができる。
【００１７】
揮散体４は、その材質として、芳香剤を保持でき且つ芳香剤を揮散できるものであれば、いずれのものでも使用でき、具体的には、不織布、スポンジ、パルプ、樹脂等の有機材料や石綿、シリカ、ケイソウ土、ガラス繊維等の無機材料の多孔性材料を用いることができる。
【００１８】
容器１は、その周面に取り付けられたクリップ６を有している。クリップ６は、互いに近接された一対の弾性片６ａから構成されており、弾性片６ａ同士の間に、例えば、室内や車両のエアコンの吹き出し口のルーバーに差し込むと、弾性片６ａがルーバーを挟持することにより、薬剤揮散装置１０がエアコンの吹き出し口に装着される。
【００１９】
図１及び図２に示すように、上記の構成の薬剤揮散装置１０では、容器１の噴霧部３にキャップ２を上部からかぶせ、図２の矢印の方向に押し下げると、キャップ２の押圧材５によって噴霧部３が押し下げられる。
これにより、ポンプ機構によって容器１内の芳香剤が吸い上げられ、噴霧口３ａから噴霧される。
【００２０】
この噴霧口３ａから噴霧された芳香剤は、キャップ２のスリット２ａから外部へ揮散する。
また、噴霧口３ａから噴霧された一部の芳香剤は、揮散体４に含浸する。そして、この揮散体４に含浸して保持された芳香剤は、その後、揮散体４から徐々に揮散する。
【００２１】
なお、噴霧部３を押し下げた後、キャップ２は、噴霧部３が付勢方向に戻ることにより、押し上げられる。
このように、上記薬剤揮散装置１０によれば、使用時において、薬剤である芳香剤がキャップ２のスリット２ａを通過して外部に揮散すると同時に、その一部がキャップ２の揮散体４に含浸され、その後、含浸した芳香剤が徐々に揮散する。
このため、使用時において薬剤を迅速に揮散、拡散させることができ、また、芳香剤を噴霧した後も揮散体４から芳香剤を持続して揮散、拡散させることができる。
【００２２】
本発明にかかる薬剤揮散装置の第２の実施形態を図面を参照して説明する。
図３は、本実施形態の薬剤揮散装置の構造を説明する一部の断面図を示している。
図３に示すように、この薬剤揮散装置２０は、噴霧部３の周面に設けられた第１の噴霧口３ａと、噴霧部３の上部に設けられた第２の噴霧口３ｂとを有している。また、キャップ２は、底部側にも揮散体４を有している。
そして、このような構造の薬剤揮散装置２０では、容器１の噴霧部３にキャップ２を上部からかぶせ、図３の矢印の方向に押し下げると、キャップ２の押圧材５によって噴霧部３が押し下げられる。すると、容器内部のポンプ機構によって容器１内の芳香剤が吸い上げられ、周面及び上部に設けられたそれぞれの噴霧口３ａ、３ｂから噴霧される。
【００２３】
周面の第１の噴霧口３ａから噴霧された芳香剤は、キャップ２のスリット２ａから外部へ揮散し、一部が揮散体４に含浸する。
また、上部の第２の噴霧口３ｂから噴霧された芳香剤は、キャップ２の底部に設けられた揮散体４に含浸する。
そして、揮散体４に含浸して保持された芳香剤は、その後、揮散体４から徐々に揮散する。
言い換えれば、本実施形態の薬剤揮散装置２０は、開口部近傍に第２の噴霧口３ａと、揮散体近傍に第２の噴霧口３ｂとを備えた構成を有している。
本実施形態も第１の実施形態と同様に、揮散体４は、少なくとも一部が噴霧口３ａ及び３ｂから噴霧された芳香剤と接触するように設けられている。
【００２４】
このように、上記薬剤揮散装置２０によれば、第１の噴霧口３ａから噴霧された芳香剤をスリット２ａを介して薬剤揮散装置２０の周囲雰囲気中に直接揮散させることができ、また、同時に、第１の噴霧口３ａから噴霧された一部の芳香剤と第２の噴霧口３ｂから噴霧された芳香剤を揮散体４に含浸させることができる。このため、第１の噴霧口３ａから外部に噴霧された芳香剤がなくなった後でも揮散体４から芳香剤が揮散しつづける。このため、薬剤揮散装置２０は、芳香剤の効果をより一層長く持続させることが可能である。
【００２５】
次に、クリップの変形例について説明する。
図４に示すものは、第１実施形態の薬剤揮散装置１０の容器１に、４つの弾性片１６ａを有するクリップ１６を取り付けたものである。４つの弾性片１６ａは、それぞれ容器１の周面からほぼ垂直に立設され、各先端部が互いに近づくように構成されている。
そして、このようなクリップ１６を有する薬剤揮散装置１０によれば、エアコンの吹き出し口のルーバーが横向きであっても縦向きであっても、弾性片１６ａによって挟持させて装着することができる。
【００２６】
なお、上述したクリップ６、１６は、容器１に対してボールジョイント（円柱軸、球軸）によって回転自在に取り付けた構成としてもよい。こうすれば、クリップ６、１６によってエアコンの吹き出し口等に装着した薬剤揮散装置１０を回転させ、例えば、縦向きや横向きなど多様に配置させることができる。この場合、噴霧部３のシールやバルブを選定することにより、倒立状態でも使用することができる。
【００２７】
また、上記薬剤揮散装置１０、２０の容器１に収容する薬剤としては、芳香剤に限らず、消臭剤、忌避剤、防虫剤、殺菌剤、防カビ剤、殺虫剤、昆虫成長調整剤等を含むものが挙げられる。
【００２８】
また、上記の例では、ポンプ機構によって噴霧口３ａから芳香剤を噴霧させる構造としたが、ポンプ機構に限らず、ガス圧によって芳香剤を噴霧させるエアゾールタイプであってもよい。なお、エアゾールとする場合における噴射剤としては、炭酸ガス、窒素、笑気ガスが用いられるが、ミストをより細かくするために適量のＬＰＧ（液化石油ガス）やＤＭＥ（ジメチルエーテル）を添加することが好ましい。
【００２９】
なお、本発明は、前述した実施形態に限定されるものではなく、適宜な変形、改良などが可能である。
例えば、押圧材はキャップに必ずしも設けられていなくてもよく、下記構成のようにすることで適宜省略することができる。
図５から図７は、押圧材を設けない構成としたキャップの変形例を示している。
図５に示すように、キャップ２には押圧材を備えていない代わりに、揮散体４ａの一部が押圧材として機能するように構成されている。このとき、揮散体の材質は、例えば、硬質連続気泡発泡体等が用いられる。具体的には、揮散体４ａの一部が噴霧部側に突設され、この突設された部位がキャップ２を押し下げた状態で、噴霧部の上面に当接するように構成されている。こうすれば、押圧材を取り付ける必要がないうえ、取り付けのための接着剤が不要であるためコストを削減することができる。
また、図６に示すように、キャップ２の上面に凹部２ｂを設け、この凹部２ｂが噴霧部の上面に当接するように構成することで押圧材を省略してもよい。こうすれば、図５の構成と同様の効果を奏して押圧材を設ける必要がなく、コストを削減することができる。
図７に示すように、キャップ１４を上記の揮散体と同じ材質から構成し、その周面にスリット１４ａを設けてもよい。このとき、キャップの一部に噴霧部側に突設する突設部１４ｂを設け、突設部１４ｂがキャップ１４を押し下げた状態で、噴霧部の上面に当接するように構成されていてもよい。こうすれば、キャップは揮散体と押圧材との機能を備えつつ、簡単な構造とすることができる。
【００３０】
【発明の効果】
以上説明したように、本発明にかかる薬剤揮散装置によれば、使用時において、薬剤が押圧部材の開口部を通過して外部に揮散すると共に、その一部が押圧部材の揮散体に含浸され、その後、含浸した薬剤が徐々に揮散する。このため、使用時において薬剤を迅速に揮散、拡散させることができ、また、薬剤を噴霧した後も揮散体から薬剤が揮散、拡散し続けることができる。
【図面の簡単な説明】
【図１】本発明にかかる第１の実施形態の薬剤揮散装置の構造を説明する斜視図である。
【図２】薬剤揮散装置の構造を説明する一部を断面視した側面図である。
【図３】本発明にかかる第２の実施形態の薬剤揮散装置の構造を説明する要部断面図である。
【図４】容器に取り付けられたクリップの他の構造を説明する薬剤揮散装置の要部斜視図である。
【図５】キャップの変形例を説明する図である。
【図６】キャップの変形例を説明する図である。
【図７】キャップの変形例を説明する図である。
【符号の説明】
１  容器
２  キャップ（押圧部材）
２ａ  スリット（開口部）
３  噴霧部
３ａ  第１の噴霧口
３ｂ  第２の噴霧口
４  揮散体
６、１６  クリップ
６ａ、１６ａ  弾性片
１０、２０  薬剤揮散装置
【図１】
2004160364.tif 000003
【図２】
2004160364.tif 000004
【図３】
2004160364.tif 000005
【図４】
2004160364.tif 000006
【図５】
2004160364.tif 000007
【図６】
2004160364.tif 000008
【図７】
2004160364.tif 000009